(57)【要約】【課題】コンピュータに依存せずにディスプレイの覗き見を防止する。【解決手段】覗き見防止装置１０は、覗き見防止対象となるコンピュータ２０に接続される外部装置である。カメラ１１は、ディスプレイ２１に対向する方向に向けられ、覗き見防止装置１０は、カメラ１１を介して被写体の画像を撮像する。そして、覗き見防止装置１０は、撮像した画像から顔情報を抽出し、当該顔情報のうち、ディスプレイ２１に表示された情報の閲覧を許可する許可ユーザの顔情報と一致しないものがあるか否かを判定する。ここで、許可ユーザの顔情報と一致しない顔情報があると判定された場合に、ディスプレイ２１に表示された情報を非表示にさせる非表示命令を、コンピュータ２０に出力する。【選択図】図１
2012173913.tif 000002
【特許請求の範囲】
【請求項１】
コンピュータのディスプレイに表示された情報を他人に覗き見られることを防止する覗き見防止装置であって、
前記コンピュータとの通信を行う通信部と、
前記ディスプレイに表示された情報の閲覧を許可する許可ユーザの顔情報を記憶する許可ユーザ記憶部と、
前記ディスプレイに対向する被写体の画像を撮像する撮像部と、
前記撮像部が撮像した画像から顔情報を抽出する顔抽出部と、
前記顔抽出部が抽出した顔情報のうち、前記許可ユーザ記憶部が記憶する顔情報と一致しないものがあるか否かを判定する許可ユーザ判定部と、
前記許可ユーザ判定部によって、前記許可ユーザ記憶部が記憶する顔情報と一致しない顔情報があると判定された場合に、前記ディスプレイに表示された情報を非表示にさせる非表示命令を、前記通信部を介して前記コンピュータに出力する非表示命令出力部と
を備えることを特徴とする覗き見防止装置。
【請求項２】
前記許可ユーザ判定部によって、前記許可ユーザ記憶部が記憶する顔情報と一致しない顔情報があると判定されたときに前記ディスプレイに表示されていた表示情報を、前記コンピュータから取得してログ記憶部に記録する表示情報記録部
を備えることを特徴とする請求項１に記載の覗き見防止装置。
【請求項３】
前記許可ユーザ判定部によって、前記許可ユーザ記憶部が記憶する顔情報と一致しない顔情報があると判定されたときに前記撮像部が撮像した画像を、前記表示情報に関連付けて前記ログ記憶部に記録する画像記録部
を備えることを特徴とする請求項２に記載の覗き見防止装置。
【請求項４】
前記コンピュータの操作を実行する操作ユーザの顔情報を記憶する操作ユーザ記憶部と、
前記顔抽出部が抽出した顔情報のうち、前記操作ユーザ記憶部が記憶する顔情報と一致するものがあるか否かを判定する許可ユーザ判定部を備え、
非表示命令出力部は、前記許可ユーザ判定部によって、前記許可ユーザ記憶部が記憶する顔情報と一致する顔情報がないと判定された場合に、前記ディスプレイに表示された情報を非表示にさせる非表示命令を、前記通信部を介して前記コンピュータに出力する
ことを特徴とする請求項１から請求項３の何れか１項に記載の覗き見防止装置。
【請求項５】
コンピュータのディスプレイに表示された情報を他人に覗き見られることを防止する覗き見防止装置を用いた除き見防止方法であって、
撮像部は、前記ディスプレイに対向する被写体の画像を撮像し、
顔抽出部は、前記撮像部が撮像した画像から顔情報を抽出し、
許可ユーザ判定部は、前記顔抽出部が抽出した顔情報のうち、前記ディスプレイに表示された情報の閲覧を許可する許可ユーザの顔情報を記憶する許可ユーザ記憶部が記憶する顔情報と一致しないものがあるか否かを判定し、
非表示命令出力部は、前記許可ユーザ判定部によって、前記許可ユーザ記憶部が記憶する顔情報と一致しない顔情報があると判定された場合に、前記ディスプレイに表示された情報を非表示にさせる非表示命令を、前記コンピュータとの通信を行う通信部を介して前記コンピュータに出力する
ことを特徴とする覗き見防止方法。
【請求項６】
覗き見防止装置を、
前記コンピュータとの通信を行う通信部、
前記ディスプレイに対向する被写体の画像を撮像する撮像部、
前記撮像部が撮像した画像から顔情報を抽出する顔抽出部、
前記顔抽出部が抽出した顔情報のうち、前記ディスプレイに表示された情報の閲覧を許可する許可ユーザの顔情報を記憶する許可ユーザ記憶部が記憶する顔情報と一致しないものがあるか否かを判定する許可ユーザ判定部、
前記許可ユーザ判定部によって、前記許可ユーザ記憶部が記憶する顔情報と一致しない顔情報があると判定された場合に、前記ディスプレイに表示された情報を非表示にさせる非表示命令を、前記通信部を介して前記コンピュータに出力する非表示命令出力部
として機能させるためのプログラム。
【発明の詳細な説明】
【技術分野】
【０００１】
本発明は、ディスプレイを有するコンピュータに接続され、当該コンピュータのディスプレイに表示された情報を他人に覗き見られることを防止する覗き見防止装置、覗き見防止方法及びプログラムに関する。
【背景技術】
【０００２】
近年、ネットワーク技術やセキュリティ対策技術の向上により、社外において電子メールのやりとりを行うことや、社外において社内のイントラネットに接続して文書を閲覧することなど、外出先でも社内と同じ環境で作業を行うことが可能になっている。このように社外において社内と同様の作業をできることになることで、便利になった反面、機密情報が外部に漏れてしまう危険性も高くなっている。
そこで、クライアント端末にデータの保存ができないシンクライアントシステムの導入や、クライアント端末に保存されたデータを削除する技術などを導入することで、データの紛失・盗難を防ぐ試みがなされている。
【０００３】
しかしながら、背後からディスプレイを覗き込まれることによる情報漏洩は、上記技術によって防ぐことはできず、またユーザが注意を払っていたとしても情報の漏洩を防ぐことは容易ではないという問題があった。また、ディスプレイの視野角を狭めるフィルタをディスプレイに貼付することで、横から覗き見されることを防止することができるが、真後ろから覗き込まれた場合や、ＰＣ利用者が不用意に席を外した場合などには情報を除き見られてしまうため、情報漏洩の防止方法としては不十分であった。
【０００４】
この問題を解決するため、特許文献１、２には、閲覧権限の無い者による覗き見を防止するシステムが開示されている。特許文献１によれば、撮像した画像に含まれる顔情報がデータベースに登録されていない場合に、警告を発する。また、特許文献２によれば、撮像した画像に含まれる顔情報がデータベースに登録されていない場合に、雑音画面を表示する。
【先行技術文献】
【特許文献】
【０００５】
【特許文献１】特開２００６−２５９９３０号公報
【特許文献２】特開２００８−２１７６７５号公報
【発明の概要】
【発明が解決しようとする課題】
【０００６】
特許文献１、２の記載によれば、覗き見を防止したいコンピュータに予め閲覧を許可するユーザの顔情報を記録しておく必要がある。そのため、利用者自身が持ち込んだＰＣではなく、外出先のＰＣを用いて機密情報の閲覧をしたい場合、当該方法を用いて情報漏洩の防止を行うことが困難であるという問題がある。
【課題を解決するための手段】
【０００７】
本発明は上記の課題を解決するためになされたものであり、コンピュータのディスプレイに表示された情報を他人に覗き見られることを防止する覗き見防止装置であって、前記コンピュータとの通信を行う通信部と、前記ディスプレイに表示された情報の閲覧を許可する許可ユーザの顔情報を記憶する許可ユーザ記憶部と、前記ディスプレイに対向する被写体の画像を撮像する撮像部と、前記撮像部が撮像した画像から顔情報を抽出する顔抽出部と、前記顔抽出部が抽出した顔情報のうち、前記許可ユーザ記憶部が記憶する顔情報と一致しないものがあるか否かを判定する許可ユーザ判定部と、前記許可ユーザ判定部によって、前記許可ユーザ記憶部が記憶する顔情報と一致しない顔情報があると判定された場合に、前記ディスプレイに表示された情報を非表示にさせる非表示命令を、前記通信部を介して前記コンピュータに出力する非表示命令出力部とを備えることを特徴とする。
【０００８】
また、本発明は、コンピュータのディスプレイに表示された情報を他人に覗き見られることを防止する覗き見防止装置を用いた除き見防止方法であって、撮像部は、前記ディスプレイに対向する被写体の画像を撮像し、顔抽出部は、前記撮像部が撮像した画像から顔情報を抽出し、許可ユーザ判定部は、前記顔抽出部が抽出した顔情報のうち、前記ディスプレイに表示された情報の閲覧を許可する許可ユーザの顔情報を記憶する許可ユーザ記憶部が記憶する顔情報と一致しないものがあるか否かを判定し、非表示命令出力部は、前記許可ユーザ判定部によって、前記許可ユーザ記憶部が記憶する顔情報と一致しない顔情報があると判定された場合に、前記ディスプレイに表示された情報を非表示にさせる非表示命令を、前記コンピュータとの通信を行う通信部を介して前記コンピュータに出力することを特徴とする。
【０００９】
また、本発明は、覗き見防止装置を、前記コンピュータとの通信を行う通信部、前記ディスプレイに対向する被写体の画像を撮像する撮像部、前記撮像部が撮像した画像から顔情報を抽出する顔抽出部、前記顔抽出部が抽出した顔情報のうち、前記ディスプレイに表示された情報の閲覧を許可する許可ユーザの顔情報を記憶する許可ユーザ記憶部が記憶する顔情報と一致しないものがあるか否かを判定する許可ユーザ判定部、前記許可ユーザ判定部によって、前記許可ユーザ記憶部が記憶する顔情報と一致しない顔情報があると判定された場合に、前記ディスプレイに表示された情報を非表示にさせる非表示命令を、前記通信部を介して前記コンピュータに出力する非表示命令出力部として機能させるためのプログラムである。
【発明の効果】
【００１０】
本発明によれば、覗き見防止装置は、覗き見防止対象となるコンピュータに接続される外部装置である。そのため、本発明による覗き見防止装置をコンピュータに接続することで、コンピュータ環境に依存せず、どのコンピュータ（例えば外出先のＰＣ）においても、覗き見を防止することができる。また、覗き見を防止したいコンピュータが複数存在する場合にも、コンピュータごとに利用者を登録する手間が発生しない。
【図面の簡単な説明】
【００１１】
【図１】本発明の第１の実施形態による覗き見防止装置の外観図である。
【図２】本発明の第１の実施形態による覗き見防止装置の構成を示す概略ブロック図である。
【図３】本発明の第１の実施形態による覗き見防止装置の動作を示すフローチャートである。
【図４】本発明の第２の実施形態による覗き見防止装置の構成を示す概略ブロック図である。
【図５】本発明の第２の実施形態による覗き見防止装置の動作を示すフローチャートである。
【発明を実施するための形態】
【００１２】
《第１の実施形態》
以下、図面を参照しながら本発明の実施形態について詳しく説明する。
図１は、本発明の第１の実施形態による覗き見防止装置１０の外観図である。
覗き見防止装置１０は、予め許可したユーザ以外の人によってディスプレイ２１に表示される表示情報を覗き見られることを防止する装置である。覗き見防止装置１０を使用する場合、覗き見防止装置１０とコンピュータ２０とを接続し、覗き見防止装置１０に設けられたカメラ１１がディスプレイ２１に対向する方向を向くようにディスプレイ２１の近傍に設置する。なお、覗き見防止装置１０には、ディスプレイ２１に装着できるようクリップ等が設けられていることが好ましい。また、覗き見防止装置１０にはＵＳＢ（Ｕｎｉｖｅｒｓａｌ  Ｓｅｒｉａｌ  Ｂｕｓ）コネクタが設けられており、当該ＵＳＢコネクタを介してコンピュータ２０との通信を行い、またコンピュータ２０からの電力供給を受ける。
【００１３】
図２は、本発明の第１の実施形態による覗き見防止装置１０の構成を示す概略ブロック図である。
覗き見防止装置１０は、通信部１０１、許可ユーザ記憶部１０２、撮像部１０３、顔抽出部１０４、許可ユーザ判定部１０５、非表示命令出力部１０６、ログ記憶部１０７、表示情報記録部１０８、画像記録部１０９、ログ出力部１１０を備える。
【００１４】
通信部１０１は、覗き見防止装置１０に設けられたＵＳＢコネクタを介して、コンピュータ２０との通信を行う。
許可ユーザ記憶部１０２は、ディスプレイ２１に表示される表示情報の閲覧を許可するユーザの顔情報を記憶する。なお、許可ユーザ記憶部１０２が記憶する顔情報は１人分に限られず、複数人の顔情報を記憶していても良い。
撮像部１０３は、カメラ１１を介してディスプレイ２１に対向する被写体の動画像を撮像する。
顔抽出部１０４は、撮像部１０３が撮像した画像から顔情報を抽出する。なお、顔情報とは、例えば画像データから抽出した顔領域に対する主成分分析などによって抽出された情報などが挙げられる。
許可ユーザ判定部１０５は、顔抽出部１０４が抽出した顔情報と、許可ユーザ記憶部１０２が記憶する許可ユーザの顔情報とを比較し、当該顔情報が許可ユーザの顔情報であるか否かを判定する。
【００１５】
非表示命令出力部１０６は、許可ユーザ判定部１０５によって、許可ユーザ以外の顔を示す顔情報が撮像部１０３の撮像した画像に含まれると判定された場合に、現在ディスプレイ２１に表示されている表示情報を隠す非表示命令を、通信部１０１を介してコンピュータ２０に出力する。
ログ記憶部１０７は、他人によって表示情報が覗き見られたおそれがある時刻と、当該時刻に撮像部１０３が撮像した動画像と、当該時刻にディスプレイ２１が表示していた表示情報とを関連付けて記憶する。
表示情報記録部１０８は、許可ユーザ判定部１０５によって、許可ユーザ以外の顔を示す顔情報が撮像部１０３の撮像した動画像に含まれると判定された場合に、現在ディスプレイ２１に表示されている表示情報をログ記憶部１０７に記録する。
画像記録部１０９は、許可ユーザ判定部１０５によって、許可ユーザ以外の顔を示す顔情報が撮像部１０３の撮像した動画像に含まれると判定された場合に、そのとき撮像部１０３が撮像した動画像をログ記憶部１０７に記録する。
ログ出力部１１０は、ログ記憶部１０７が記憶する時刻と動画像と表示情報の組み合わせをコンピュータ２０に出力する。
【００１６】
次に、覗き見防止装置１０の動作について説明する。
図３は、本発明の第１の実施形態による覗き見防止装置１０の動作を示すフローチャートである。
コンピュータ２０の電源が投入されると、ＵＳＢコネクタを介して接続される覗き見防止装置１０が起動する。まず、覗き見防止装置１０は、コンピュータ２０の電源が入っているか否かを判定する（ステップＳ１）。コンピュータ２０の電源が入っている場合（ステップＳ１：ＹＥＳ）、撮像部１０３は、ディスプレイ２１に対向する被写体の動画像の撮像を開始する（ステップＳ２）。次に、顔抽出部１０４は、撮像部１０３が撮像した動画像から顔検出処理を実行し、動画像に顔が含まれるか否かを判定する（ステップＳ３）。顔抽出部１０４が、動画像に顔が含まれないと判定した場合（ステップＳ３：ＮＯ）、ステップＳ１に戻り、処理を繰り返す。
【００１７】
他方、顔抽出部１０４は、動画像に顔が含まれると判定した場合（ステップＳ３：ＹＥＳ）、当該動画像から顔情報を抽出し、許可ユーザ判定部１０５は、当該顔情報と許可ユーザ記憶部１０２が記憶する顔情報との照合を行う（ステップＳ４）。次に、許可ユーザ判定部１０５は、顔抽出部１０４が抽出した顔情報のうち、許可ユーザ記憶部１０２が記憶する顔情報と一致しないものがあるか否かを判定する（ステップＳ５）。なお、ここで「顔情報と一致」とは、顔情報同士が同じ値であることに限られず、所定の照合アルゴリズムを実行することで、同一人物の顔を表すものであると判定されることを示す。許可ユーザ判定部１０５は、顔抽出部１０４が抽出した全ての顔情報が、許可ユーザ記憶部１０２が記憶する顔情報と一致したと判定した場合（ステップＳ５：ＮＯ）、ステップＳ１に戻り、処理を繰り返す。
【００１８】
他方、許可ユーザ判定部１０５によって、顔抽出部１０４が抽出した顔情報の中に、許可ユーザ記憶部１０２が記憶する顔情報と一致しないものがあると判定された場合（ステップＳ５：ＹＥＳ）、許可していない人によってディスプレイ２１の表示を覗き見られていると判定する。そして、非表示命令出力部１０６は、現在ディスプレイ２１に表示されている表示情報を隠す非表示命令を、通信部１０１を介してコンピュータ２０に出力する（ステップＳ６）。これにより、コンピュータ２０は、ディスプレイ２１の表示をロック状態に変更し、表示情報を非表示状態にする。
【００１９】
このとき、表示情報記録部１０８は、コンピュータ２０からディスプレイ２１に表示されていた表示情報を取得し、当該表示情報をログ記憶部１０７に記録する（ステップＳ７）。なお、表示情報の種類としては、ディスプレイ２１に表示されていた画面のキャプチャ画像や、そのとき実行していたアプリケーションのリストなどが挙げられる。また、画像記録部１０９は、撮像部１０３が撮像している動画像のログ記憶部１０７への記録を開始する（ステップＳ８）。つまり、ログ記憶部１０７には、ステップＳ５で覗き見の判定がなされたときからの動画像が記録されることとなる。
【００２０】
次に、顔抽出部１０４は、撮像部１０３が撮像している動画像から顔情報を抽出し、許可ユーザ判定部１０５は、当該顔情報のうち、許可ユーザ記憶部１０２が記憶する顔情報と一致しないものがあるか否かを判定する（ステップＳ９）。許可ユーザ判定部１０５は、許可ユーザ記憶部１０２が記憶する顔情報と一致しない顔情報があると判定した場合（ステップＳ９：ＹＥＳ）、ステップＳ８に戻り、動画像の記録を継続する。これにより、許可していない人によって覗き見られている間の動画像が記録される。
【００２１】
他方、許可ユーザ判定部１０５が、許可ユーザ記憶部１０２が記憶する顔情報と一致しない顔情報がなくなったと判定した場合（ステップＳ９：ＮＯ）、画像記録部１０９は、撮像部１０３が撮像している動画像のログ記憶部１０７への記録を終了し、現在時刻と当該動画像と表示情報記録部１０８が記録した表示情報とを関連付ける（ステップＳ１０）。次に、ログ出力部１１０は、ログ記憶部１０７が記憶する情報を、通信部１０１を介してコンピュータ２０に出力する（ステップＳ１１）。そして、非表示命令出力部１０６は、ディスプレイ２１のロック状態を解除する表示命令を、通信部１０１を介してコンピュータ２０に出力する（ステップＳ１２）。これにより、コンピュータ２０は、ディスプレイ２１のロック状態を解除し、表示情報をディスプレイ２１に表示させる。そして、ステップＳ１に戻り、処理を継続する。
【００２２】
なお、ステップＳ１においてコンピュータ２０の電源が入っていない場合（ステップＳ１：ＮＯ）、覗き見防止装置１０は、処理を終了する。
【００２３】
このように、本実施形態によれば、覗き見防止装置１０は、コンピュータ２０利用者の背後を監視し、許可されたユーザ以外が動画像に映り込んだ際にディスプレイ２１の情報を見えなくすることができる。これにより、ユーザが背後に注意を払う必要がなく、情報漏洩の危険性を下げることができる。
【００２４】
また、本実施形態によれば、漏洩したおそれがある情報をログとして記録しておくことができる。これにより、外部に漏洩したおそれがある情報がどのような情報であるかを知ることができ、漏洩によるリスクを勘案することや、漏洩に対する対策を早期に錬ることができる。
【００２５】
また、本実施形態によれば、覗き見された際の状況を示す動画像をログとして記録しておくことができる。これにより、どのような人に覗き込まれたか、その人がどのような行動をしていたかを事後的に確認することができる。また、当該動画像が時刻と表示情報とに関連付けてログとして記録される。これにより、漏洩した内容と覗き込まれた人物とを関連付けることができる。
【００２６】
また、本実施形態によれば、覗き見防止装置１０は、覗き見防止対象となるコンピュータ２０に接続される外部装置である。そのため、本発明による覗き見防止装置１０をコンピュータ２０に接続することで、コンピュータ２０環境に依存せず、どのコンピュータ２０においても、覗き見を防止することができる。また、覗き見を防止したいコンピュータ２０が複数存在する場合にも、コンピュータ２０ごとにユーザを登録する手間が発生しない。
【００２７】
《第２の実施形態》
図４は、本発明の第２の実施形態による覗き見防止装置５０の構成を示す概略ブロック図である。
第２の実施形態による覗き見防止装置５０は、第１の実施形態による覗き見防止装置１０に加えて、操作ユーザ記憶部１１１及び操作ユーザ判定部１１２を備える。
【００２８】
操作ユーザ記憶部１１１は、コンピュータ２０を操作するユーザの顔情報を記憶する。なお、操作ユーザ記憶部１１１が記憶する顔情報は１人分に限られず、複数人の顔情報を記憶していても良い。なお、操作ユーザと許可ユーザとの違いはコンピュータ２０の操作が許可されているか否かである。つまり、許可ユーザは、ディスプレイ２１に表示された情報の閲覧は許可される一方、コンピュータ２０の操作は許可されない。他方、操作ユーザは、閲覧及び操作が許可される。
操作ユーザ判定部１１２は、顔抽出部１０４が抽出した顔情報と、操作ユーザ記憶部１１１が記憶する操作ユーザの顔情報とを比較し、当該顔情報が操作ユーザの顔情報であるか否かを判定する。
【００２９】
そして、非表示命令出力部１０６は、許可ユーザ判定部１０５によって、許可ユーザ以外の顔を示す顔情報が撮像部１０３の撮像した画像に含まれると判定された場合、または操作ユーザ判定部１１２によって、操作ユーザの顔を示す顔情報が撮像部１０３の撮像した画像に含まれないと判定された場合に、非表示命令を出力する。
【００３０】
次に、覗き見防止装置１０の動作について説明する。
図５は、本発明の第２の実施形態による覗き見防止装置５０の動作を示すフローチャートである。
コンピュータ２０の電源が投入されると、ＵＳＢコネクタを介して接続される覗き見防止装置５０が起動する。まず、覗き見防止装置５０の非表示命令出力部１０６は、現在ディスプレイ２１に表示されている表示情報を隠す非表示命令を、通信部１０１を介してコンピュータ２０に出力する（ステップＳ２１）。次に、覗き見防止装置５０は、コンピュータ２０の電源が入っているか否かを判定する（ステップＳ２２）。コンピュータ２０の電源が入っている場合（ステップＳ２２：ＹＥＳ）、撮像部１０３は、ディスプレイ２１に対向する被写体の動画像の撮像を開始する（ステップＳ２３）。次に、顔抽出部１０４は、撮像部１０３が撮像した動画像から顔検出処理を実行し、動画像に顔が含まれるか否かを判定する（ステップＳ２４）。顔抽出部１０４が、動画像に顔が含まれないと判定した場合（ステップＳ２４：ＮＯ）、ステップＳ２１に戻って非表示命令を出力し、処理を繰り返す。
【００３１】
他方、顔抽出部１０４は、動画像に顔が含まれると判定した場合（ステップＳ２４：ＹＥＳ）、当該動画像から顔情報を抽出し、操作ユーザ判定部１１２は、当該顔情報と操作ユーザ記憶部１１１が記憶する顔情報との照合を行う（ステップＳ２５）。次に、許可ユーザ判定部１０５は、顔抽出部１０４が抽出した顔情報のうち、操作ユーザ記憶部１１１が記憶する顔情報と一致するものがあるか否かを判定する（ステップＳ２６）。操作ユーザ判定部１１２は、顔抽出部１０４が抽出した顔情報が何れも操作ユーザ記憶部１１１が記憶する顔情報と一致しないと判定した場合（ステップＳ２６：ＮＯ）、ステップＳ２１に戻って非表示命令を出力し、処理を繰り返す。
【００３２】
他方、操作ユーザ判定部１１２が、顔抽出部１０４が抽出した顔情報の中に、操作ユーザ記憶部１１１が記憶する顔情報と一致するものがあると判定した場合（ステップＳ２６：ＹＥＳ）、非表示命令出力部１０６は、ディスプレイ２１の状態がロック状態であるか否かを判定する（ステップＳ２７）。非表示命令出力部１０６は、ディスプレイ２１の状態がロック状態であると判定した場合（ステップＳ２７：ＹＥＳ）、通信部１０１を介してコンピュータ２０に表示命令を出力する（ステップＳ２８）。これにより、ディスプレイ２１のロックが解除される。
【００３３】
ステップＳ２７においてディスプレイ２１の状態がロック状態でない場合（ステップＳ２７：ＮＯ）、またはステップＳ２８で表示命令を出力した場合、顔抽出部１０４は、ステップＳ２５で抽出した顔情報の中に、操作ユーザ判定部１１２によって判定された顔情報以外の顔情報が存在するか否かを判定する（ステップＳ２９）。顔抽出部１０４が、操作ユーザ以外の顔情報が含まれないと判定した場合（ステップＳ２９：ＮＯ）、ステップＳ２２に戻って、ロックが解除された状態で、処理を繰り返す。
【００３４】
他方、顔抽出部１０４が、操作ユーザ以外の顔情報が含まれると判定した場合（ステップＳ２９：ＹＥＳ）、操作ユーザ判定部１１２は、当該顔情報と操作ユーザ記憶部１１１が記憶する顔情報との照合を行う（ステップＳ３０）。次に、許可ユーザ判定部１０５は、顔抽出部１０４が抽出した操作ユーザ以外の顔情報のうち、許可ユーザ記憶部１０２が記憶する顔情報と一致しないものがあるか否かを判定する（ステップＳ３１）。許可ユーザ判定部１０５は、顔抽出部１０４が抽出した操作ユーザ以外の顔情報がすべて、許可ユーザ記憶部１０２が記憶する顔情報と一致したと判定した場合（ステップＳ３１：ＮＯ）、ステップＳ２２に戻り、処理を繰り返す。
【００３５】
他方、許可ユーザ判定部１０５によって、操作ユーザ以外の顔情報の中に、許可ユーザ記憶部１０２が記憶する顔情報と一致しないものがあると判定された場合（ステップＳ３１：ＹＥＳ）、許可していない人によってディスプレイ２１の表示を覗き見られていると判定する。そして、非表示命令出力部１０６は、非表示命令をコンピュータ２０に出力する（ステップＳ３２）。これにより、コンピュータ２０は、ディスプレイ２１の表示をロック状態に変更し、表示情報を非表示状態にする。
【００３６】
このとき、表示情報記録部１０８は、コンピュータ２０からディスプレイ２１に表示されていた表示情報を取得し、当該表示情報をログ記憶部１０７に記録する（ステップＳ３３）。また、画像記録部１０９は、撮像部１０３が撮像している動画像のログ記憶部１０７への記録を開始する（ステップＳ３４）。つまり、ログ記憶部１０７には、ステップＳ３１で覗き見の判定がなされたときからの動画像が記録されることとなる。
【００３７】
次に、顔抽出部１０４は、撮像部１０３が撮像している動画像から顔情報を抽出し、許可ユーザ判定部１０５は、当該顔情報のうち、許可ユーザ記憶部１０２が記憶する顔情報と一致しないものがあるか否かを判定する（ステップＳ３５）。許可ユーザ判定部１０５は、許可ユーザ記憶部１０２が記憶する顔情報と一致しない顔情報があると判定した場合（ステップＳ３５：ＹＥＳ）、ステップＳ３４に戻り、動画像の記録を継続する。これにより、許可していない人によって覗き見られている間の動画像が記録される。
【００３８】
他方、許可ユーザ判定部１０５が、許可ユーザ記憶部１０２が記憶する顔情報と一致しない顔情報がなくなったと判定した場合（ステップＳ３５：ＮＯ）、画像記録部１０９は、撮像部１０３が撮像している動画像のログ記憶部１０７への記録を終了し、現在時刻と当該動画像と表示情報記録部１０８が記録した表示情報とを関連付ける（ステップＳ３６）。次に、ログ出力部１１０は、ログ記憶部１０７が記憶する情報を、通信部１０１を介してコンピュータ２０に出力する（ステップＳ３７）。そして、非表示命令出力部１０６は、ディスプレイ２１のロック状態を解除する表示命令を、通信部１０１を介してコンピュータ２０に出力する（ステップＳ３８）。これにより、コンピュータ２０は、ディスプレイ２１のロック状態を解除し、表示情報をディスプレイ２１に表示させる。そして、ステップＳ２２に戻り、処理を継続する。
【００３９】
なお、ステップＳ２２においてコンピュータ２０の電源が入っていない場合（ステップＳ２２：ＮＯ）、覗き見防止装置５０は、処理を終了する。
【００４０】
このように、本実施形態によれば、覗き見防止装置５０は、コンピュータ２０利用者の背後を監視し、予め指定した操作ユーザがディスプレイ２１の前にいない場合にディスプレイ２１の情報を見えなくすることができる。これにより、操作ユーザが席を外している間に、許可ユーザ、すなわち閲覧は許可されているものの操作が許可されていないユーザによって、コンピュータ２０が操作されることを防ぐことができる。
【００４１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００４２】
上述の覗き見防止装置５０は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４３】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４４】
１０、５０…覗き見防止装置  １１…カメラ  １０１…通信部  １０２…許可ユーザ記憶部  １０３…撮像部  １０４…顔抽出部  １０５…許可ユーザ判定部  １０６…非表示命令出力部  １０７…ログ記憶部  １０８…表示情報記録部  １０９…画像記録部  １１０…ログ出力部  １１１…操作ユーザ記憶部  １１２…操作ユーザ判定部  ２０…コンピュータ  ２１…ディスプレイ
【図１】
2012173913.tif 000003
【図２】
2012173913.tif 000004
【図３】
2012173913.tif 000005
【図４】
2012173913.tif 000006
【図５】
2012173913.tif 000007